(57)【要約】【課題】本発明は、光ファイバ素線表面に付着する被覆屑などの残留物を確実に除去することができ、清掃工程を省略可能な光ファイバ被覆除去装置を提供することにある。【解決手段】光ファイバ１９の被覆層１９ｂの除去時に光ファイバ１９を位置決めした後、一対の刃物固定部２３ａ，２３ｂを閉じて被覆層１９ｂに被覆除去刃２７ａ，２７ｂを食い込ませる。次いで、この食い込み部位近傍に供給手段３３から有機溶剤を供給しつつ被覆層１９ｂを引き抜く。【選択図】      図１
2004252051.tif 000002
【特許請求の範囲】
【請求項１】
光ファイバの被覆層に食い込ませて引き抜き、前記被覆層を除去する光ファイバ被覆除去装置において、
開閉自在な一対の刃物固定部にそれぞれ固定され、前記被覆層に食い込ませる一対の被覆除去刃と、
前記光ファイバの被覆層の除去時に前記被覆除去刃による食い込み部位近傍に有機溶剤を供給する供給手段と、を備えたことを特徴とする光ファイバ被覆除去装置。
【請求項２】
前記供給手段は、
前記有機溶剤を溜める有機溶剤貯留部であって、この有機溶剤貯留部が前記被覆除去刃近傍の前記刃物固定部に設けられていることを特徴とする請求項１記載の光ファイバ被覆除去装置。
【請求項３】
前記有機溶剤貯留部は、
管路を介してポンプに接続され、このポンプから前記管路を通して前記有機溶剤を供給することを特徴とする請求項２記載の光ファイバ被覆除去装置。
【請求項４】
前記一対の被覆除去刃の先端は、
直線状に形成されていることを特徴とする請求項１記載の光ファイバ被覆除去装置。
【請求項５】
光ファイバの被覆層に食い込ませて引き抜き、前記被覆層を除去する光ファイバ被覆除去方法において、
前記光ファイバの被覆層の除去時に一対の刃物固定部を閉じて前記被覆層に被覆除去刃を食い込ませた後、この食い込み部位近傍に有機溶剤を供給しつつ前記被覆層を引き抜くことを特徴とする光ファイバ被覆除去方法。
【発明の詳細な説明】
【０００１】
【発明の属する技術分野】
本発明は、光ファイバの被覆層を除去する光ファイバ被覆除去装置および光ファイバ被覆除去方法に係り、特に被覆層の除去と同時に、光ファイバ素線（裸ファイバ）に付着した残留物を清掃する光ファイバ被覆除去装置及び光ファイバ被覆除去方法に関する。
【０００２】
【従来の技術】
従来、光ファイバの被覆層を除去した後に、光ファイバ素線に付着した被覆材の屑などの残留物を清掃するには、第１にアルコールを含浸させた無塵紙により拭き取る方法がある。第２には超音波洗浄機により洗浄する方法がある。また、第３には特許文献１に開示された光ファイバの被覆除去工具があり、この光ファイバの被覆除去工具は、被覆層を除去するための操作によって、光ファイバ素線の清掃を行うものである。
【０００３】
さらに、第４には特許文献２に開示された光ファイバ心線の被覆除去装置があり、この光ファイバ心線の被覆除去装置は、除去すべき被覆層を過熱することにより、被覆層と光ファイバ素線との剥離がよくなるので、被覆層の除去が完全に行われ、光ファイバ素線の表面に樹脂がごみとして残らず、光ファイバ素線をアルコールなどで拭く作業を省略することができるようにしている。
【０００４】
【特許文献１】
特開２００２−２８６９４２
【０００５】
【特許文献２】
実開昭６３−２９０４
【０００６】
【発明が解決しようとする課題】
したがって、上述した従来の技術では、被覆除去工程と清掃工程の２つの工程を必要としていたので、作業性が悪く、作業時間も長くかかるという課題があった。
【０００７】
また、清掃工程に関して、第１の方法では無塵紙が消耗品として必要になるとともに、無塵紙で光ファイバ素線を直接触れることにより、光ファイバ素線表面を損傷させ、引張強度が低下し、清掃作業が作業者の力加減、払拭回数などの清掃技術の差により大きく異なるという課題がある。
【０００８】
さらに、第２の方法では超音波洗浄機が必要になり、広い設置スペースが必要で、購入費用も多くかかるという課題がある。
【０００９】
第３の特許文献１に開示された光ファイバの被覆除去工具では、前記第１の方法と同様に消耗品が必要で、引張強度が低下するという課題がある。また、第４の特許文献２に開示された光ファイバ心線の被覆除去装置では、光ファイバ素線の表面に樹脂が依然ごみとして残り、現在の被覆除去装置では光ファイバ素線に付着した残留物を清掃する作業を省略することができないという課題がある。
【００１０】
本発明は、上記に鑑みてなされたもので、その目的としては、光ファイバ素線表面に付着する被覆屑などの残留物を確実に除去することができ、清掃工程を省略可能な光ファイバ被覆除去装置及び光ファイバ被覆除去方法を提供することにある。
【００１１】
【課題を解決するための手段】
請求項１記載の発明は、上記課題を解決するため、光ファイバの被覆層に食い込ませて引き抜き、前記被覆層を除去する光ファイバ被覆除去装置において、開閉自在な一対の刃物固定部にそれぞれ固定され、前記被覆層に食い込ませる一対の被覆除去刃と、前記光ファイバの被覆層の除去時に前記被覆除去刃による食い込み部位近傍に有機溶剤を供給する供給手段と、を備えたことを要旨とする。
【００１２】
請求項２記載の発明は、上記課題を解決するため、前記供給手段は、前記有機溶剤を溜める有機溶剤貯留部であって、この有機溶剤貯留部が前記被覆除去刃近傍の前記刃物固定部に設けられていることを要旨とする。
【００１３】
請求項３記載の発明は、上記課題を解決するため、前記有機溶剤貯留部は、管路を介してポンプに接続され、このポンプから前記管路を通して前記有機溶剤を供給することを要旨とする。
【００１４】
請求項４記載の発明は、上記課題を解決するため、前記一対の被覆除去刃の先端は、直線状に形成されていることを要旨とする。
【００１５】
請求項５記載の発明は、上記課題を解決するため、光ファイバの被覆層に食い込ませて引き抜き、前記被覆層を除去する光ファイバ被覆除去方法において、前記光ファイバの被覆層の除去時に一対の刃物固定部を閉じて前記被覆層に被覆除去刃を食い込ませた後、この食い込み部位近傍に有機溶剤を供給しつつ前記被覆層を引き抜くことを要旨とする。
【００１６】
【発明の実施の形態】
以下、本発明の実施の形態を図面を参照して説明する。
【００１７】
（第１の実施の形態）
図１は、本発明の第１の実施の形態に係る光ファイバ被覆除去装置を示す断面図、図２は、図１の被覆除去刃としての上下刃を示す正面図、図３は、図２の上下刃の円孔を示す拡大図である。なお、本実施の形態の光ファイバ被覆除去装置は、例えば光ファイバの融着接続を行う融着接続機に適用され、切断された光ファイバの端面を突き合せて融着するに際し、光ファイバの被覆層を除去するための装置である。
【００１８】
図１に示す光ファイバ被覆除去装置１１は、基台としてのセット台１３と、このセット台１３に対して一対のスライドバー１５ａ，１５ｂを介して設置状態で昇降可能に設けられた昇降ブロック１７とを備えている。セット台１３は、上面に光ファイバ１９を把持するための把持部２１ａが突出形成され、この把持部２１ａの上面には図示しないＶ字状の溝が形成されている。他方、昇降ブロック１７は、下面の把持部２１ａと対向する位置に把持部２１ａと対をなす把持部２１ｂが下方に突出形成され、この把持部２１ｂの上面にも図示しないＶ字状の溝が形成されている。
【００１９】
セット台１３の側面には、刃物固定部としての刃物固定板２３ａが固定される一方、この刃物固定板２３ａと対をなす刃物固定部としての刃物固定板２３ｂが昇降ブロック１７の側面に固定され、セット台１３に一対のスライドバー１５ａ，１５ｂを介して昇降ブロック１７を昇降させることで、刃物固定板２３ａ，２３ｂが開閉自在となる。
【００２０】
そして、刃物固定板２３ａの上端には、光ファイバ１９を把持するための把持部２５ａが設けられる一方、この把持部２５ａと対をなす把持部２５ｂが刃物固定板２３ｂの下端に設けられている。これらの把持部２５ａ，２５ｂも上記把持部２１ａ，２１ｂと同様にＶ字状の溝が形成されている。
【００２１】
刃物固定板２３ａには、図２に示すように矩形板状に形成された被覆除去刃としての下刃２７ａが固定される一方、この下刃２７ａと同形状で対をなす被覆除去刃としての上刃２７ｂが刃物固定板２３ｂに固定されている。そして、下刃２７ａの上部中央には、半円状の凹部２９ａが形成される一方、上刃２７ｂの下部中央にも半円状の凹部２９ｂが形成され、これらの凹部２９ａ，２９ｂは下刃２７ａに対し上刃２７ｂを閉めた際の形状が円錐状になる。
【００２２】
また、凹部２９ａの上端中央には、図３に示すように半円状の孔３１ａが形成される一方、凹部２９ｂの下端中央にも半円状の孔３１ｂが形成され、これらの孔３１ａ，３１ｂは下刃２７ａに対し上刃２７ｂを閉めた際に円孔３１を形成し、この円孔３１は光ファイバ１９の素線１９ａの径よりも大きく、被覆層１９ｂの径より小さく設定されている。これにより、下刃２７ａに対し上刃２７ｂを閉めた際は、下刃２７ａおよび上刃２７ｂが被覆層１９ｂのみに食い込むようになる。
【００２３】
さらに、刃物固定板２３ａの上端および刃物固定板２３ｂの下端における下刃２７ａおよび上刃２７ｂ側には、刃物固定板２３ａ，２３ｂを閉じた際に一体となり、有機溶剤としてのアルコールを溜める有機溶剤貯留部としてのアルコール貯留部３３が形成されている。このアルコール貯留部３３は、光ファイバ１９の被覆層１９ｂの除去時に下刃２７ａおよび上刃２７ｂによる食い込み部位近傍にアルコールを供給する供給手段としての機能を有する。そして、アルコール貯留部３３は、下刃２７ａに対し上刃２７ｂを閉めた際に密閉状態となる。
【００２４】
また、アルコール貯留部３３は、刃物固定板２３ａに穿設された供給路３５と連通し、この供給路３５に管路３７の一端が連結されている。この管路３７にはポンプ３９が介挿され、その他端にアルコールの供給源となるタンク４１が連結されている。なお、本実施の形態では、有機溶剤の中から安全性を考慮してアルコールを選択して用いている。
【００２５】
次に、図１および図２を参照して、光ファイバ被覆除去装置１１の作用効果について説明する。
【００２６】
まず、図１に示すように、セット台１３に一対のスライドバー１５ａ，１５ｂを介して昇降ブロック１７を上昇させ、下刃２７ａに対し上刃２７ｂを開いた状態で、アルコール貯留部３３にアルコールを貯留させておき、光ファイバ１９を準備し、この光ファイバ１９を下刃２７ａの孔３１ａの中心に位置決めすると同時に、把持部２１ａ，２５ａ上に被覆層１９ｂを除去する部位の光ファイバ１９を載置する。
【００２７】
次いで、昇降ブロック１７を下降させ、刃物固定板２３ａに対して刃物固定板２３ｂを閉じて下刃２７ａに対し上刃２７ｂを閉じることにより、図１に示すように下刃２７ａおよび上刃２７ｂを被覆層１９ｂに食い込ませると同時に、光ファイバ１９を把持部２１ａ，２１ｂと把持部２５ａ，２５ｂにより把持する。
【００２８】
そして、矢印方向に光ファイバ１９を引き抜くことにより、把持部２１ａ，２１ｂと把持部２５ａ，２５ｂにより把持された光ファイバ１９の被覆層１９ｂのみを除去することができる。この被覆層１９ｂの除去中に下刃２７ａおよび上刃２７ｂが被覆層１９ｂに食い込んでいる部位近傍には、アルコール貯留部３３が配置されているので、被覆層１９ｂと素線１９ａとの間にアルコールが供給され、素線１９ａの表面に付着する被覆屑などの残留物を確実に除去する。
【００２９】
したがって、本実施の形態の光ファイバ被覆除去方法では、光ファイバ１９の被覆層１９ｂの除去時に刃物固定板２３ａに対して刃物固定板２３ｂを閉じて下刃２７ａに対し上刃２７ｂを閉じて被覆層１９ｂに下刃２７ａおよび上刃２７ｂを食い込ませた後、この食い込み部位近傍にアルコールを供給しつつ被覆層１９ｂを引き抜くようにしている。
【００３０】
このことから、本実施の形態によれば、光ファイバ１９の被覆層１９ｂの除去時に刃物固定板２３ａに対して刃物固定板２３ｂを閉じて下刃２７ａに対し上刃２７ｂを閉じて被覆層１９ｂに下刃２７ａおよび上刃２７ｂを食い込ませ、この食い込み部位近傍にアルコール貯留部３３からアルコールを供給しつつ被覆層１９ｂを引き抜くようにしたことにより、光ファイバ１９の素線１９ａ表面に付着する被覆屑などの残留物を確実に除去することができるので、清掃工程を省略でき、その結果、作業性を向上させ作業時間を短縮することができる。
【００３１】
また、本実施の形態によれば、作業者が無塵紙で直接接触して被覆屑などの残留物を拭き取る必要がなくなるため、作業者の清掃技術による清掃結果のばらつきをなくすことができるとともに、光ファイバ１９の被覆層１９ｂの除去時において下刃２７ａおよび上刃２７ｂが光ファイバ１９の素線１９ａに接触しないような円孔３１の径に設定すれば、引張強度の低下を未然に防止することができる。加えて、超音波洗浄機が不要となるため、設置スペースを狭くすることができ、費用も削減可能となる。
【００３２】
さらに、本実施の形態によれば、下刃２７ａおよび上刃２７ｂ近傍の刃物固定板２３ａ，２３ｂにアルコールを溜めるアルコール貯留部３３を形成したことにより、光ファイバ１９の被覆層１９ｂの除去時に下刃２７ａおよび上刃２７ｂによる食い込み部位近傍にアルコールを確実に供給することができる。
【００３３】
そして、本実施の形態によれば、アルコール貯留部３３は供給路３５および管路３７を介してポンプ３９と接続されているので、アルコール貯留部３３にアルコールを常に満たしておくことができる。
【００３４】
（第２の実施の形態）
図４は、本発明の第２の実施の形態に係る光ファイバ被覆除去装置５１を示す断面図、図５は、図４の被覆除去刃を示す正面図である。なお、本実施の形態は、多心光ファイバの被覆層を除去する装置に適用した例を示しており、前記第１の実施の形態と同一の部分には、図１と同一の符号を用いて前記第１の実施の形態と異なる構成のみを説明する。その他の実施の形態も同様である。
【００３５】
図４に示す光ファイバ被覆除去装置５１は、刃物固定板２３ａに矩形板状に形成された被覆除去刃としての下刃５３ａが固定される一方、この下刃５３ａと同形状で対をなす被覆除去刃としての上刃５３ｂが刃物固定板２３ｂに固定されている。そして、下刃５３ａの上部には、傾斜凹部５５ａが形成される一方、上刃５３ｂの下部にも傾斜凹部５５ｂが形成され、これらの傾斜凹部５５ａ，５５ｂは下刃５３ａに対し上刃５３ｂを閉めた際の断面形状が「く」字状になる。
【００３６】
また、下刃５３ａおよび上刃５３ｂの各先端は、直線状に平坦に形成されており、下刃５３ａに対し上刃５３ｂを閉めた際の間隔が光ファイバ５７の素線５７ａの径よりも大きく、被覆層５７ｂの径より小さく設定されている。これにより、下刃５３ａに対し上刃５３ｂを閉めた際は、下刃５３ａおよび上刃５３ｂが被覆層５７ｂのみに食い込むようになる。
【００３７】
次に、図４および図５を参照して、光ファイバ被覆除去装置５１の作用効果について説明する。
【００３８】
まず、図４に示すように、セット台１３に一対のスライドバー１５ａ，１５ｂを介して昇降ブロック１７を上昇させ、下刃５３ａに対し上刃５３ｂを開いた状態で、アルコール貯留部３３にアルコールを貯留させておき、光ファイバ５７を準備し、この光ファイバ５７を下刃５３ａ上に位置決めすると同時に、把持部２１ａ，２５ａ上に被覆層５７ｂを除去する部位の光ファイバ５７を載置する。
【００３９】
次いで、昇降ブロック１７を下降させ、刃物固定板２３ａに対して刃物固定板２３ｂを閉じて下刃５３ａに対し上刃５３ｂを閉じることにより、図４に示すように下刃５３ａおよび上刃５３ｂを被覆層５７ｂに食い込ませると同時に、光ファイバ５７を把持部２１ａ，２１ｂと把持部２５ａ，２５ｂにより把持する。
【００４０】
そして、矢印方向に光ファイバ５７を引き抜くことにより、把持部２１ａ，２１ｂと把持部２５ａ，２５ｂにより把持された光ファイバ５７の被覆層５７ｂのみを除去することができる。この被覆層５７ｂの除去中に下刃５３ａおよび上刃５３ｂが被覆層５７ｂに食い込んでいる部位近傍には、アルコール貯留部３３が配置されているので、被覆層５７ｂと素線５７ａとの間にアルコールが供給され、素線５７ａの表面に付着する被覆屑などの残留物を確実に除去する。
【００４１】
したがって、本実施の形態の光ファイバ被覆除去方法では、光ファイバ５７の被覆層５７ｂの除去時に刃物固定板２３ａに対して刃物固定板２３ｂを閉じて下刃５３ａに対し上刃５３ｂを閉じて被覆層５７ｂに下刃５３ａおよび上刃５３ｂを食い込ませた後、この食い込み部位近傍にアルコールを供給しつつ被覆層５７ｂを引き抜くようにしている。
【００４２】
このことから、本実施の形態によれば、下刃５３ａおよび上刃５３ｂの各先端を直線状に形成したことにより、多心光ファイバに適用しても前記第１の実施の形態と同様に、光ファイバ５７の素線５７ａ表面に付着する被覆屑などの残留物を確実に除去することができるので、清掃工程を省略でき、その結果、作業性を向上させ作業時間を短縮することができる。
【００４３】
また、本実施の形態によれば、作業者が無塵紙で直接接触して被覆屑などの残留物を拭き取る必要がなくなるため、作業者の清掃技術による清掃結果のばらつきをなくすことができるとともに、下刃５３ａに対し上刃５３ｂを閉めた際の間隔が光ファイバ５７の素線５７ａの径よりも大きく、被覆層５７ｂの径より小さく設定されていることにより、下刃５３ａおよび上刃５３ｂが光ファイバ５７の素線５７ａに接触しないようになり、引張強度の低下を未然に防止することができる。加えて、超音波洗浄機が不要となるため、設置スペースを狭くすることができ、費用も削減可能となる。
【００４４】
さらに、本実施の形態によれば、下刃５３ａおよび上刃５３ｂ近傍の刃物固定板２３ａ，２３ｂにアルコールを溜めるアルコール貯留部３３を形成したことにより、光ファイバ１９の被覆層１９ｂの除去時に下刃５３ａおよび上刃５３ｂによる食い込み部位近傍にアルコールを確実に供給することができる。
【００４５】
そして、本実施の形態によれば、アルコール貯留部３３は供給路３５および管路３７を介してポンプ３９と接続されているので、アルコール貯留部３３にアルコールを常に満たしておくことができる。
【００４６】
図６は、本発明の第３の実施の形態に係る光ファイバ被覆除去装置６１の要部を示す断面図である。
【００４７】
図６に示す光ファイバ被覆除去装置６１は、刃物固定板６３ａの上端のみにアルコールを溜めるアルコール貯留部６５が形成されているものの、刃物固定板６３ｂの下端にはアルコール貯留部６５が形成されていない。これにより、アルコール貯留部６５は、密閉されない状態となる。
【００４８】
このことから、本実施の形態によれば、刃物固定板６３ａの上端にアルコールを溜めるアルコール貯留部６５を形成したことにより、前記各実施の形態と同様に光ファイバ１９の被覆層１９ｂの除去時に下刃２７ａおよび上刃２７ｂによる食い込み部位近傍にアルコールを確実に供給することができる。その他の構成および作用は前記第１の実施の形態と同様であるので、その説明を省略する。
【００４９】
図７は、本発明の第４の実施の形態に係る光ファイバ被覆除去装置７１の要部を示す断面図である。
【００５０】
図７に示す光ファイバ被覆除去装置７１は、前記第２の実施の形態と同様に刃物固定板２３ａに矩形板状に形成された被覆除去刃としての下刃５３ａが固定される一方、この下刃５３ａと同形状で対をなす被覆除去刃としての上刃５３ｂが刃物固定板２３ｂに固定されている。そして、下刃５３ａの上部には、傾斜凹部５５ａが形成される一方、上刃５３ｂの下部にも傾斜凹部５５ｂが形成され、これらの傾斜凹部５５ａ，５５ｂは下刃５３ａに対し上刃５３ｂを閉めた際の断面形状が「く」字状になる。
【００５１】
下刃５３ａおよび上刃５３ｂには、それぞれ閉止板７３ａ，７３ｂが固定されて傾斜凹部５５ａ，５５ｂを閉止して、その内部空間をアルコール貯留部７５としている。そして、閉止板７３ａには開口部７７が形成され、この開口部７７を通してアルコール貯留部７５に管路３７からアルコールが供給される。
【００５２】
このことから、本実施の形態によれば、下刃５３ａおよび上刃５３ｂにそれぞれ閉止板７３ａ，７３ｂを固定して傾斜凹部５５ａ，５５ｂの内部空間をアルコール貯留部７５としたことにより、前記各実施の形態と同様に光ファイバ１９の被覆層１９ｂの除去時に下刃５３ａおよび上刃５３ｂによる食い込み部位近傍にアルコールを確実に供給することができる。
【００５３】
なお、本実施の形態では、下刃５３ａのみに閉止板７３ａを固定して傾斜凹部５５ａの内部空間をアルコール貯留部としても同様の効果が得られる。その他の構成および作用は前記第１の実施の形態と同様であるので、その説明を省略する。
【００５４】
なお、本発明は上記各実施の形態に限定されることなく、種々の変更が可能である。例えば、上記各実施の形態では、アルコール貯留部を設けたが、このアルコール貯留部を設けなくとも、被覆除去中に下刃および上刃による食い込み部位近傍にスポイトなどによりアルコールを常に供給し続ければ、上記各実施の形態と同様の効果が得られる。
【００５５】
【発明の効果】
請求項１記載の本発明によれば、光ファイバの被覆層の除去時に一対の刃物固定部を閉じて被覆層に被覆除去刃を食い込ませ、この食い込み部位近傍に供給手段から有機溶剤を供給しつつ被覆層を引き抜くことにより、光ファイバの素線表面に付着する被覆屑などの残留物を確実に除去することができるので、清掃工程を省略でき、その結果、作業性を向上させ作業時間を短縮することができる。
【００５６】
また、作業者が無塵紙で直接接触して被覆屑などの残留物を拭き取る必要がなくなるため、清掃技術による清掃結果のばらつきをなくすことができるとともに、引張強度の低下を未然に防止することができる。加えて、超音波洗浄機が不要となるため、設置スペースを狭くすることができ、費用も削減可能となる。
【００５７】
請求項２記載の本発明によれば、供給手段は、有機溶剤を溜める有機溶剤貯留部であって、この有機溶剤貯留部が被覆除去刃近傍の刃物固定部に設けられているので、光ファイバの被覆層の除去時に被覆除去刃による食い込み部位近傍にアルコールを確実に供給することができる。
【００５８】
請求項３記載の本発明によれば、有機溶剤貯留部は、管路を介してポンプに接続され、このポンプから管路を通して前記有機溶剤を供給するので、有機溶剤貯留部にアルコールを常に満たしておくことができる。
【００５９】
請求項４記載の本発明によれば、一対の被覆除去刃の先端が直線状に形成されているので、多心光ファイバの被覆層除去用とすることも可能である。
【００６０】
請求項５記載の本発明によれば、光ファイバの被覆層の除去時に一対の刃物固定部を閉じて被覆層に被覆除去刃を食い込ませた後、この食い込み部位近傍に有機溶剤を供給しつつ被覆層を引き抜くことにより、請求項１と同様の効果が得られる。
【図面の簡単な説明】
【図１】本発明の第１の実施の形態に係る光ファイバ被覆除去装置を示す断面図である。
【図２】図１の被覆除去刃としての上下刃を示す正面図である。
【図３】図２の上下刃の円孔を示す拡大図である。
【図４】本発明の第２の実施の形態に係る光ファイバ被覆除去装置５１を示す断面図である。
【図５】図４の被覆除去刃を示す正面図である。
【図６】本発明の第３の実施の形態に係る光ファイバ被覆除去装置６１の要部を示す断面図である。
【図７】本発明の第４の実施の形態に係る光ファイバ被覆除去装置７１の要部を示す断面図である。
【符号の説明】
１１，５１，６１，７１  光ファイバ被覆除去装置
１３  セット台
１５ａ，１５ｂ  スライドバー
１７  昇降ブロック
１９，５７  光ファイバ
１９ａ，５７ａ  素線
１９ｂ，５７ｂ  被覆層
２１ａ，２１ｂ  把持部
２３ａ，２３ｂ，６３ａ，６３ｂ  刃物固定板（刃物固定部）
２５ａ，２５ｂ  把持部
２７ａ，５３ａ  下刃（被覆除去刃）
２７ｂ，５３ｂ  上刃（被覆除去刃）
２９ａ，２９ｂ  凹部
３１  円孔
３１ａ，３１ｂ  孔
３３，６５，７５  アルコール貯留部（有機溶剤貯留部，供給手段）
３５  供給路
３７  管路
３９  ポンプ
４１  タンク
５５ａ，５５ｂ  傾斜凹部
７３ａ，７３ｂ  閉止板
７７  開口部
【図１】
2004252051.tif 000003
【図２】
2004252051.tif 000004
【図３】
2004252051.tif 000005
【図４】
2004252051.tif 000006
【図５】
2004252051.tif 000007
【図６】
2004252051.tif 000008
【図７】
2004252051.tif 000009